(57)【要約】  安価である；聴診器への装着及び脱着が容易である；伝導音に影響を与えにくく聴診器の本来の性能を維持することができる；といった特長を持つ聴診器用のカバー部材を提供することを課題とする。聴診器２を皮膚に当てる際に聴診器２のダイヤフラム面２Ａに貼付することでダイヤフラム面２Ａを一時的に被覆するためのダイヤフラム面カバーシート１であって、少なくとも一方の面に粘着剤が付与された紗織物で構成されていることを特徴とするダイヤフラム面カバーシート１により、上記課題を解決した。ダイヤフラム面カバーシート１は、ダイヤフラム面２Ａに貼付した際に、紗織物がダイヤフラム面２Ａに接触しない露出部分１Ｄが存在するのが好ましい。ダイヤフラム面カバーシート１の具体的な形状としては、四角形が好ましい。
2020166579.tif 000002
【特許請求の範囲】
【請求項１】
聴診器を皮膚に当てる際に該聴診器のダイヤフラム面に貼付することで該ダイヤフラム面を一時的に被覆するためのダイヤフラム面カバーシートであって、少なくとも一方の面に粘着剤が付与された紗織物で構成されていることを特徴とするダイヤフラム面カバーシート。
【請求項２】
前記ダイヤフラム面に貼付した際に、前記紗織物が前記ダイヤフラム面に接触しない露出部分が存在するようになっている請求項１に記載のダイヤフラム面カバーシート。
【請求項３】
四角形である請求項１又は請求項２に記載のダイヤフラム面カバーシート。
【請求項４】
前記紗織物の開口率が、１０％以上９０％以下である請求項１ないし請求項３の何れかの請求項に記載のダイヤフラム面カバーシート。
【請求項５】
前記紗織物の目付が、２０ｇ／ｍ２以上１００ｇ／ｍ２以下である請求項１ないし請求項４の何れかの請求項に記載のダイヤフラム面カバーシート。
【請求項６】
前記粘着剤が、ゴム系粘着剤、アクリル系粘着剤及びシリコーン系粘着剤からなる群より選ばれた１種以上の粘着剤である請求項１ないし請求項５の何れかの請求項に記載のダイヤフラム面カバーシート。
【請求項７】
前記紗織物の一方の面に粘着剤が付与されており、該紗織物の他方の面に離型処理がなされている請求項１ないし請求項６の何れかの請求項に記載のダイヤフラム面カバーシート。
【請求項８】
請求項１ないし請求項６の何れかの請求項に記載のダイヤフラム面カバーシートが収納されているダイヤフラム面カバーシート収納ボックスであって、ダイヤフラム面カバーシートと、離型シートとが、前記紗織物の粘着剤が付与された面が上側になるように、交互に重ねて収納されていることを特徴とするダイヤフラム面カバーシート収納ボックス。
【請求項９】
前記離型シートがエンボス加工されたものであり、前記紗織物の粘着剤が付与された面から剥離する際の前記離型シートとの剥離強度が０．０３ｋｇｆ／ｃｍ以下である請求項８に記載のダイヤフラム面カバーシート収納ボックス。
【請求項１０】
請求項７に記載のダイヤフラム面カバーシートが収納されているダイヤフラム面カバーシート収納ボックスであって、ダイヤフラム面カバーシートが、前記紗織物の粘着剤が付与された面が上側になるように、重ねて収納されていることを特徴とするダイヤフラム面カバーシート収納ボックス。
【請求項１１】
前記ダイヤフラム面カバーシートを収納したまま滅菌可能である請求項８ないし請求項１０の何れかの請求項に記載のダイヤフラム面カバーシート収納ボックス。
【発明の詳細な説明】
【技術分野】
【０００１】
本発明は、聴診器のダイヤフラム面を被覆するためのカバーシートに関し、更に詳しくは、ダイヤフラム面への脱着が容易な使い捨ての安価なカバーシートに関する。
【背景技術】
【０００２】
聴診器は、臨床医療の現場で医師や看護師が心臓・肺・血管等が発生する音を聴くのに使用される医療器具である。聴診器を使用する際には、患者（被診断者）の皮膚に聴診器のダイヤフラム面を直接当てるのが一般的である。
例えば、健康診断等の際には、多数の被診断者に対し、連続的に聴診器が使用される。このような場合に、被診断者は、他の被診断者の皮膚に当てられた聴診器がそのまま自分の皮膚に当てられることに不快感や不安を持つ場合がある。【０００３】
このような被診断者の不快感や不安に対応するために、聴診器が皮膚に直接触れないようにする又は触れにくくするためのカバー部材に関して、種々の提案がなされている。
例えば、軟質樹脂材等から成るシート材にて形成された袋体の聴診器用カバー（特許文献１）、伸縮性のある薄布を袋状にした聴診器カバー（特許文献２）、フレーム及び膜組織を含んでいる聴診器カバー（特許文献３）、弾性リングを有するカバーアセンブリ（特許文献４）、粘着剤の付与された紙や合成樹脂からなる聴診器用被覆シート（特許文献５）等が知られている。【０００４】
しかし、これらの先行技術のカバー部材は、聴診器への装着及び脱着が容易でなく、多数の被診断者を迅速に診察しなければならない場合に、時間的なロスが多い；立体的な構造の被覆シートであり、作製に多大な労力及びコストを要する；等の問題があった。
また、ダイヤフラム面をカバー部材が完全に覆ってしまうことにより、伝導音に影響が及び、聴診器を使用した診察の意義を没却してしまう可能性があった。【０００５】
このため、聴診器への装着及び脱着が容易であり、かつ、伝導音に影響を与えにくい聴診器用のカバー部材の開発が望まれている。
【先行技術文献】
【特許文献】
【０００６】
【特許文献１】特開２０００−１７５９０８号公報
【特許文献２】実開昭５４−１１２３８３号公報
【特許文献３】特表２００７−５０６４９４号公報
【特許文献４】特表２０１１−５０５９１４号公報
【特許文献５】特開２００４−３２９２４５号公報
【発明の概要】
【発明が解決しようとする課題】
【０００７】
本発明は上記背景技術に鑑みてなされたものであり、その課題は、安価である；聴診器への装着及び脱着が容易である；伝導音に影響を与えにくく聴診器の本来の性能を維持することができる；といった特長を持つ聴診器用のカバー部材を提供することにある。
【課題を解決するための手段】
【０００８】
本発明者は、上記の課題を解決すべく鋭意検討を重ねた結果、紗織物、すなわち、開口部の占める割合が大きい基体に、粘着剤を付与したシートは、聴診器のダイヤフラム面への装着及び脱着が容易であり、また、かかるシートは、ダイヤフラム面を覆う面積を極めて小さくできるため、伝導音に与える影響がほとんど無く聴診器本来の性能を損なわないことを見出して、本発明を完成するに至った。【０００９】
すなわち、本発明は、聴診器を皮膚に当てる際に該聴診器のダイヤフラム面に貼付することで該ダイヤフラム面を一時的に被覆するためのダイヤフラム面カバーシートであって、少なくとも一方の面に粘着剤が付与された紗織物で構成されていることを特徴とするダイヤフラム面カバーシートを提供するものである。【００１０】
また、本発明は、前記のダイヤフラム面カバーシートが収納されているダイヤフラム面カバーシート収納ボックスであって、ダイヤフラム面カバーシートと、離型シートとが、前記紗織物の粘着剤が付与された面が上側になるように、交互に重ねて収納されていることを特徴とするダイヤフラム面カバーシート収納ボックスを提供するものである。【００１１】
また、本発明は、前記紗織物の一方の面に粘着剤が付与されており、該紗織物の他方の面に離型処理がなされている前記のダイヤフラム面カバーシートを提供するものである。【００１２】
また、本発明は、前記のダイヤフラム面カバーシートが収納されているダイヤフラム面カバーシート収納ボックスであって、ダイヤフラム面カバーシートが、前記紗織物の粘着剤が付与された面が上側になるように、重ねて収納されていることを特徴とするダイヤフラム面カバーシート収納ボックスを提供するものである。
【発明の効果】
【００１３】
本発明のダイヤフラム面カバーシートによれば、聴診器を使用する際に、聴診器のダイヤフラム面が皮膚に直接触れない（又は触れにくい）ので、患者から患者への感染症を防止することができる。実際に感染症の可能性が生じるか否かに関わらず、患者に不快感や不安を与えないようにすることができる。【００１４】
本発明のダイヤフラム面カバーシートは、熱伝導率が非常に小さな紗織物で構成されており、また、皮膚に直接接触するのが、糸（経糸及び緯糸）の部分のみであり、皮膚に接触する面積が小さいので、聴診器を患者の皮膚に当てた際に、患者が不快な接触冷感（ひやっとした感覚）を感じにくい。
また、本発明のダイヤフラム面カバーシートは、柔らかい紗織物に適度な粘着剤が付与されているので、ダイヤフラム面に沿って貼付しやすい。【００１５】
感染症防止等に使用されるダイヤフラム面カバーシートは、使い捨てであり、コストを抑える必要があるが、本発明のダイヤフラム面カバーシートは、紗織物に粘着剤を付与した簡便な構成であるので、低コストで製造することが可能である。【００１６】
従来のカバー部材は、ダイヤフラム面を完全に覆ってしまい、伝導音に影響を与え、聴診器を使用した診察の意義を没却してしまう可能性があった。
これに対して、本発明のダイヤフラム面カバーシートは、開口部の占める割合が大きい紗織物が基体となっているため、伝導音に影響を与えにくい。また、聴診器のダイヤフラムは、中央の樹脂製の膜部が振動する機構になっているので、シートはその振動するダイヤフラムの動きに追随することが求められるところ、紗織物からなる本発明のダイヤフラム面カバーシートは、薄く柔らかくできるので、ダイヤフラムの動きに追随しやすくすることができる。【００１７】
聴診器は、健康診断等の際に、連続して多数の患者に使用されることがあり、カバー部材の装着及び脱着に手間がかかる場合、スムーズな診察を阻害してしまうおそれがある。本発明のダイヤフラム面カバーシートは、装着及び脱着を容易に迅速に行うことができるので、聴診器で多数の患者を連続して診察するのに適している。
【図面の簡単な説明】
【００１８】
【図１】本発明のダイヤフラム面カバーシートを構成する紗織物を示す図である。
【図２】本発明のダイヤフラム面カバーシートの使用方法を示す図である。    （ａ）聴診器のダイヤフラム面に貼付する前の状態。紗織物１には粘着剤が付与されている。        （ｂ）聴診器のダイヤフラム面に貼付した状態。
【発明を実施するための形態】
【００１９】
以下、本発明について説明するが、本発明は以下の実施の形態に限定されるものではなく、任意に変形して実施することができる。
【００２０】
本発明のダイヤフラム面カバーシートは、図１に示すように、紗織物１で構成されている。紗織物１の少なくとも一方の面には粘着剤が付与されており（図２（ａ））、聴診器２のダイヤフラム面２Ａに貼付できるようになっている。
ダイヤフラム面２Ａは、聴診器２のチェストピース（集音盤）に設置された振動板の膜（ダイヤフラム）を有する面をいい、診察（聴診）の際には、ダイヤフラム面２Ａを患者の皮膚に接触させることで音を拾う。
【００２１】
本発明のダイヤフラム面カバーシートは、聴診器２を皮膚に当てる際に聴診器２のダイヤフラム面２Ａに貼付することでダイヤフラム面２Ａを一時的に被覆するために使用される（図２（ｂ））。
【００２２】
本発明のダイヤフラム面カバーシートは、聴診器２による診察を行う際に、一時的にダイヤフラム面２Ａに貼付され、診察後は剥がされて破棄される使い捨ての部材である。本発明のダイヤフラム面カバーシートを使用することにより、聴診器の使用の際の感染症を予防でき、また、それに対する患者の不安を防止することができる。
【００２３】
図１に示すように、本発明のダイヤフラム面カバーシートを構成する紗織物１は、緯糸１Ａと経糸１Ｂからなる平織物であり、大きな開口部１Ｃを有している。
大きな開口部１Ｃを有することにより、従来のカバー部材と異なり、本発明のダイヤフラム面カバーシートは、伝導音に与える影響がほとんど無く聴診器本来の性能を維持することができる。
【００２４】
紗織物１の糸（緯糸１Ａ及び経糸１Ｂ）の素材としては、ナイロン、ビニロン、ポリエステル、ポリエチレン、ポリプロピレン、アクリル、アラミド、ポリアリレート、ポリパラフェニレンベンズビスオキサゾール等の合成繊維；コットン（綿）、麻、ウール（毛）、絹等の天然繊維；等が例示できる。緯糸１Ａ及び経糸１Ｂの素材は同一であってもよいし、異なっていてもよい。
また、紗織物１の糸の種類は、紡績糸、モノフィラメント糸、マルチフィラメント糸の何れでもよい。
【００２５】
紗織物１の糸の太さは、フィラメント糸の場合、５０デニール以上が好ましく、１００デニール以上が特に好ましい。また、７００デニール以下が好ましく、５００デニール以下が特に好ましい。
紡績糸の場合、綿番手で７番手以上が好ましく、１０番手以上が特に好ましい。また、１００番手以下が好ましく、５０番手以下が特に好ましい。
上記範囲内であると、適度な量の粘着剤を塗布しやすく、また、コストが抑えられる。
【００２６】
紗織物１の開口率（紗織物１の占める全面積に対する、糸が存在しない部分（開口部１Ｃ）の占める面積の割合）は、１０％以上が好ましく、２０％以上がより好ましく、４０％以上が特に好ましい。また、９０％以下が好ましく、８０％以下がより好ましく、７０％以下が特に好ましい。
上記下限以上であると、伝導音が妨げられにくく、聴診器本来の性能が発揮しやすい。また、上記上限以下であると、患者が接触冷感を感じにくく、また、紗織物１の強度を保ちやすい。
【００２７】
紗織物１における緯糸１Ａ及び経糸１Ｂの打ち込み本数は、それぞれ、６本／インチ以上が好ましく、１０本／インチ以上が特に好ましい。また、３０本／インチ以下が好ましく、２０本／インチ以下が特に好ましい。
上記範囲内であると、紗織物１の開口率を上記範囲内にしやすくなる。
なお、糸の密度（打ち込み本数）の算出にあたり、「１本の糸」とは、中が均一に詰まった１本の糸（例えば、モノフィラメント糸）、短繊維からなる１本の紡績糸、長繊維から成る１本のマルチフィラメント糸、又は、天然繊維や合成繊維を引き揃えたり、撚りをかけたりすることで１本になっているものをいう。すなわち、容易に分離できなくした状態で１本になっているものは、糸の密度の算出にあたり、「１本の糸」という。
【００２８】
紗織物１の目付は、２０ｇ／ｍ２以上であることが好ましく、４０ｇ／ｍ２以上であることが特に好ましい。また、１００ｇ／ｍ２以下であることが好ましく、７０ｇ／ｍ２以下であることが特に好ましい。
上記上限以下であると、伝導音の妨げになりにくく、聴診器の本来の機能を損ないにくい。また、通常、紗織物１の粘着剤を付与した面（ダイヤフラム面２Ａに貼付できるようになっている面）の反対側の面は、患者の皮膚に触れる面であるので、該反対側の面に粘着剤が移行しないのが望ましいところ、上記下限以上であると粘着剤が移行し難い。
【００２９】
紗織物１の厚さ（後記の実施例に記載の方法で測定される厚さ）は、０．０５ｍｍ以上であることが好ましく、０．１ｍｍ以上であることが特に好ましい。また、０．７ｍｍ以下であることが好ましく、０．５ｍｍ以下であることが特に好ましい。
上記上限以下であると、伝導音の妨げになりにくく、聴診器の本来の機能を損ないにくい。また、上記下限以上であると、粘着剤が患者の皮膚に触れる面に移行し難く、また、強度を十分に保つことができる。
【００３０】
紗織物にカレンダー加工を施すことによって、強度を保ちつつ、紗織物１を薄く、柔らかくすることができる。すなわち、本発明のダイヤフラム面カバーシートの基体として優れた紗織物に加工することができる。
カレンダー加工の具体的な方法としては、例えば、特許第５８５９６９７号公報に記載の方法が挙げられる。
【００３１】
紗織物１の緯糸１Ａと経糸１Ｂの交点は、目止め加工されていなくてもよいし、目止め加工されていてもよい。
目止め加工の方法に特に限定は無く、例えば、目止め剤を付与することによる接着でもよいし、熱融着でもよい。
【００３２】
紗織物１の少なくとも一方の面には、粘着剤が付与されている。紗織物１の両方の面に粘着剤が付与されている場合が本発明の範囲から排除されるわけではないが、粘着剤が付与された面（すなわち、ダイヤフラム面２Ａに貼付される面）の反対側の面は、患者の皮膚に触れるので、粘着剤が付与されていないのが好ましい。更に、紗織物１の一方の面には粘着剤が付与されており、紗織物１の他方の面には、離型処理がなされていると、ダイヤフラム面カバーシートを重ねて保管等する際に、別途離型シートを用意する必要がなくなる。
【００３３】
粘着剤の付与された面は、通常、患者の皮膚には触れないが、少量の粘着剤が反対側の面に移行する場合もあるので、紗織物１に付与する粘着剤は、人体に悪影響を与えにくいもの（例えば、救急絆創膏等の医療用品に使用される粘着剤）であるのが好ましい。
このような粘着剤の具体例としては、ゴム系粘着剤、アクリル系粘着剤、シリコーン系粘着剤が挙げられる。
【００３４】
ダイヤフラム面カバーシートの大きさや形状は、ダイヤフラム面２Ａの全体を被覆できるような大きさ・形状であれば特に限定は無いが、図２（ｂ）に示すようにダイヤフラム面カバーシートは、ダイヤフラム面２Ａに貼付した際に、紗織物１がダイヤフラム面２Ａに接触しない露出部分１Ｄが存在するようになっているのが望ましい。
すなわち、ダイヤフラム面カバーシートは、ダイヤフラム面２Ａを被覆するためのカバー部材であるが、ダイヤフラム面２Ａと同じ円形である必要は無く、むしろ、円形でない方が望ましい。
【００３５】
ダイヤフラム面カバーシートは、聴診器２を使用した診察の際に一時的に使用し、すぐに廃棄してしまう使い捨ての部材であるので、図２（ｂ）に示すように、ダイヤフラム面２Ａに接触しない露出部分１Ｄが存在していても、使用に全く差し支えはない。むしろ、露出部分１Ｄが存在すると、使用後に露出部分１Ｄを手で抓んで剥がすことで、容易に脱着することができるので、露出部分１Ｄが存在するのが望ましい。露出部分１Ｄが存在しない場合、脱着が困難となり、脱着時にダイヤフラム面２Ａを傷つけてしまうおそれがある。
【００３６】
ダイヤフラム面カバーシートの形状は、四角形（正方形、長方形、菱形等）が好ましく、正方形がより好ましい（なお、ここでいう「四角形」等は、幾何学的に正確な「四角形」等を示すものではなく、「略四角形」等も含まれる）。
また、正方形である場合、該正方形の一辺の長さが、ダイヤフラム面２Ａの外径よりも、２〜２０ｍｍ大きいのが好ましく、５〜１０ｍｍ大きいのが特に好ましい。
ダイヤフラム面２Ａの大きさは、例えば、小児用聴診器と成人用聴診器で異なるが、使用する聴診器２の種類に応じて、上記要件を満たすダイヤフラム面カバーシートを使用するのが望ましい。
【００３７】
ダイヤフラム面カバーシートが上記のような形状・大きさの場合、ダイヤフラム面カバーシートの装着の際に、容易にダイヤフラム面２Ａの全体を被覆することができ、ダイヤフラムの外枠面が皮膚に当たりにくくなる。更に、手で抓みやすい大きさの露出部分１Ｄが自然と形成されるので、脱着も極めて容易となる。
また、上記のような形状だと、加工が容易であり製造コストを抑えられる。
【００３８】
本発明は、前記したダイヤフラム面カバーシートが収納されているダイヤフラム面カバーシート収納ボックス（図示せず）にも関する。
ダイヤフラム面カバーシート収納ボックスは、あらかじめ所定の大きさにカットしたダイヤフラム面カバーシートを、例えば数十〜数百枚程度重ねて収納するための収納箱である。
【００３９】
紗織物１の一方の面に粘着剤が付与されており、紗織物１の他方の面に離型処理がなされている場合、別途離型シートを用意することなく、ダイヤフラム面カバーシートをダイヤフラム面カバーシート収納ボックスに収納することができる。
【００４０】
離型シートを使用しない場合、ダイヤフラム面カバーシート収納ボックスにおいて、ダイヤフラム面カバーシートは、紗織物１の粘着剤が付与された面が上側になるように、重ねて収納されているのが望ましい。このようにすることにより、聴診器２のダイヤフラム面２Ａを直接ダイヤフラム面カバーシート収納ボックスの所に移動させ、ダイヤフラム面２Ａをダイヤフラム面カバーシートに押し付けて貼付することができる。
【００４１】
紗織物１の一方の面に粘着剤が付与されており、紗織物１の他方の面に離型処理がなされていない場合、離型シートを使用して、ダイヤフラム面カバーシートをダイヤフラム面カバーシート収納ボックスに収納することができる。
【００４２】
離型シートを使用する場合、ダイヤフラム面カバーシート収納ボックスにおいて、ダイヤフラム面カバーシートと、離型シートとが、紗織物１の粘着剤が付与された面が上側になるように、交互に重ねて収納されているのが望ましい。このようにすることにより、聴診器２のダイヤフラム面２Ａを直接ダイヤフラム面カバーシート収納ボックスの所に移動させ、ダイヤフラム面２Ａにダイヤフラム面カバーシートを押し付けて貼付しダイヤフラム面カバーシートのみを取り出すことができる。
【００４３】
離型シートは、ダイヤフラム面カバーシートと同様に、四角形であることが好ましく、ダイヤフラム面カバーシートとほぼ同じ大きさの四角形であることが特に好ましい。
【００４４】
離型シートの材質は、紙、合成樹脂フィルム等が挙げられる。雑菌が付着等し難い点から、合成樹脂フィルムが好ましい。
また、離型シートは、視認しやすいようにするため、着色されていることが望ましい。一般に、ダイヤフラム面カバーシートは白色であるので、白色以外の色に着色されていることが特に望ましい。
【００４５】
離型シートは、使用時に、ダイヤフラム面カバーシートと容易に分離しやすいようになっている必要があるので、紗織物１の粘着剤が付与された面から剥離する際の離型シートとの剥離強度は小さいのが望ましい。具体的には、ＪＩＳ  Ｚ０２３７  ２００９の剥離強度が、０．０３ｋｇｆ／ｃｍ以下であることが好ましく、０．０２ｋｇｆ／ｃｍ以下であることがより好ましく、０．０１ｋｇｆ／ｃｍ以下であることが特に好ましい。
剥離強度が上記上限以下であると、ダイヤフラム面カバーシート収納ボックスからダイヤフラム面カバーシートを取り出す際に、離型シートがダイヤフラム面カバーシートとともに持ち上げられにくくなり、作業性が向上する。
【００４６】
離型シートは、剥離強度を低下させるための加工が施されていてもよい。かかる加工としては、エンボス加工やコーティング加工が挙げられる。
エンボス加工は、無延伸ポリプロピレン（ＣＰＰ）のような加工しやすい素材を離型シートとして使用する際に有効である。離型シートの表裏両面にエンボス加工するのが特に好ましい。
コーティング加工は、紙や合成樹脂フィルム等の面に、シリコーン系樹脂やフッ素系樹脂を薄くコーティングする加工である。コーティング加工を施すことにより、剥離強度を大幅に低下させることができる。
【００４７】
本発明のダイヤフラム面カバーシート収納ボックスは、ダイヤフラム面カバーシートを収納したまま滅菌可能であることが好ましい。
このようなダイヤフラム面カバーシート収納ボックスの材質としては、紙、合成樹脂、金属、ガラス等が挙げられる。
【００４８】
滅菌方法について、ダイヤフラム面カバーシートの性能を損なわない方法であれば特に限定は無く、酸化エチレン（エチレンオキサイド）ガス滅菌、紫外線滅菌、ガンマ線滅菌等が挙げられる。
【実施例】
【００４９】
以下に、実施例及び比較例を挙げて本発明を更に具体的に説明するが、本発明は、その要旨を超えない限りこれらの実施例に限定されるものではない。【００５０】
実施例１
経糸・緯糸ともにポリエステル紡績糸（Ｎｅ３０／１）を使用し、経糸・緯糸ともに１２本／インチの平織りの紗織物を作製した。経糸と緯糸の交点は、アクリル樹脂系目止め剤によって目止め加工した。
作製した紗織物の厚さ（ＰＥＡＣＯＣＫ製厚み試験器により測定。以下、厚さは全て同厚み試験器により測定したものである。）は０．１３ｍｍ、目付は３２ｇ／ｍ２であった。
紗織物の片面に、コーターでアクリル系粘着剤を塗布した。【００５１】
ポリプロピレンフィルムをエンボス加工し、その上にシリコーン系樹脂を薄くコーティングした見掛け厚さが２２０μｍの離型シートを作製し、離型シートのシリコーン系樹脂をコーティングした面を、紗織物に被せ、長尺加工品を作製した。【００５２】
紗織物の粘着剤が付与された面から剥離する際の離型シートの剥離強度は０．００５ｋｇｆ／ｃｍで、簡単に剥がれる特性を有していた。
なお、剥離強度はＪＩＳ  Ｚ０２３７  ２００９の１８０°剥離試験に準拠してテンシロン型引張試験機で測定した。【００５３】
長尺加工品を、スリッターで幅６０ｍｍのテープに加工し、そのテープを長さ６０ｍｍに切断して四角形のシート（ダイヤフラム面カバーシートと離型シートが一体となったシート）を製造した。
そのシートを、１００枚重ねて紙製の箱内に詰めた。【００５４】
箱にシートを充填（収納）したまま、箱を滅菌器内に設置し、滅菌器内温度を６０℃に設定し、酸化エチレンガスによって滅菌処理した。【００５５】
滅菌処理後、箱内のダイヤフラム面カバーシートの粘着剤が付与された面に聴診器のダイヤフラム面（外径４５ｍｍ）を押し当てて、ダイヤフラム面カバーシートをダイヤフラム面に貼付した状態で取り出した。
ダイヤフラム面カバーシートのみを簡単に取り出すことができ、離型シートが一緒に持ち上がってくることは無かった。【００５６】
ダイヤフラム面カバーシートを貼付したダイヤフラム面を、医師が被験者の胸部（心臓付近）の皮膚面に当てて心音を聴いた。診療後（ダイヤフラム面カバーシート使用後）、ダイヤフラム面カバーシートの露出部分を手で抓んで剥がすことで、容易にダイヤフラム面から取り外すことができ、使用済みのダイヤフラム面カバーシートは破棄した。【００５７】
比較例１
実施例１と同じ聴診器のダイヤフラム面に何も貼付しないで医師が被験者の胸部（心臓付近）の皮膚面に当てて心音を聴いた。【００５８】
比較例２
実施例１と同じ聴診器に、厚さ０．２５ｍｍ、６０ｍｍ角のポリエステル紡績糸からなる平織物をダイヤフラムの外縁部（ゴム製）に一時的にワセリンで貼り付けた状態で、医師が被験者の胸部（心臓付近）の皮膚面に当てて心音を聴いた。【００５９】
比較例３
実施例１と同じ聴診器に、厚さ０．１５ｍｍ、６０ｍｍ角の紙をダイヤフラムの外縁部に一時的にワセリンで貼り付けた状態で、医師が被験者の胸部（心臓付近）の皮膚面に当てて心音を聴いた。【００６０】
比較例４
実施例１と同じ聴診器に、厚さ０．１５ｍｍ、６０ｍｍ角のポリエステルフィルムをダイヤフラムの外縁部に一時的にワセリンで貼り付けた状態で、医師が被験者の胸部（心臓付近）の皮膚面に当てて心音を聴いた。【００６１】
［評価］
実施例１及び比較例１〜４において、以下の項目について評価した。結果を表１に示す。【００６２】
（接触冷感）
○：冷たく感じなかった。
△：やや冷たく感じられた。
×：冷たく感じられた（特にゴム製の外縁部が冷たく感じられた）。【００６３】
（聴音性）
○：カバーシート無し（比較例１）の場合と同等の聴こえ方だった。
△：カバーシート無し（比較例１）の場合よりやや聴こえ難かった。【００６４】
【表１】
2020166579.tif 000003
【００６５】
上記表１の結果から明らかなように、本発明のダイヤフラム面カバーシートを使用した場合、ダイヤフラム面に何も貼付しない場合と同等の聴音性であり、聴診器の性能を損なわない上に、本発明のダイヤフラム面カバーシートを使用することにより、接触冷感を感じにくいようにすることができた。
【産業上の利用可能性】
【００６６】
本発明のダイヤフラム面カバーシートは、伝導音に影響を与えにくく、患者が不快な接触冷感を感じにくい上に、低コストで使い捨てとすることができるので、健康診断等における聴診の際に使用することができる。
【符号の説明】
【００６７】
１    紗織物（ダイヤフラム面カバーシート）
１Ａ  緯糸
１Ｂ  経糸
１Ｃ  開口部
１Ｄ  露出部分
２    聴診器
２Ａ  ダイヤフラム面
【図１】
2020166579.tif 000004
【図２】
2020166579.tif 000005
【国際調査報告】
2020166579.tif 000006
2020166579.tif 000007
2020166579.tif 000008
2020166579.tif 000009